(57)【特許請求の範囲】
【請求項１】
装置本体内に回動可能に配置されて内側で転写部よりも上流側の搬送路の少なくとも一部を構成し且つ外側で両面搬送路の少なくとも一部を構成する転写搬送ユニットと、
装置本体の側壁の一部を構成するように装置本体に回動可能に配置されて内側で前記転写搬送ユニットと協働して前記両面搬送路の一部を構成する垂直搬送カバーユニットと、
画像形成処理可能状態にあるときに前記装置本体と係合して前記転写搬送ユニットと前記装置本体とが適正位置に配置されるように前記転写搬送ユニットに付勢部材によりロック方向に付勢されて回動可能に設けられ、前記垂直搬送カバーユニットを閉成操作したときに前記装置本体内のガイド面により前記付勢部材の付勢力に抗してアンロック方向に回動するロックレバーと、
画像形成処理可能状態にあるときに前記装置本体と係合して前記垂直搬送カバーユニットと前記装置本体とが適正位置に配置されるように前記垂直搬送カバーユニットに設けられたカバーロックレバーと、付勢部材によりロック方向に付勢されて前記カバーロックレバーとともにアンロック方向に操作される操作ロックレバーと、を備え、
前記カバーロックレバーとともに前記操作ロックレバーを解除操作して前記垂直搬送カバーユニットを回動させて前記両面搬送路を開放すると共に前記垂直搬送カバーユニットの回動操作と連動して前記転写搬送ユニットを回動させて前記搬送路を開放可能とした画像形成装置において、
前記操作ロックレバーと前記ロックレバーとは、前記垂直搬送カバーユニットを閉成操作したときに、前記ロックレバーが前記装置本体内のガイド面により前記付勢部材の付勢力に抗してアンロック方向に回動すると、前記転写搬送ユニットと前記装置本体とがロック状態となるように互いに係合して前記ロックレバーをロック方向に回動させる当り部と、前記操作ロックレバーを解除操作したときに前記転写搬送ユニットと前記装置本体とがアンロック状態となるように互いに係合して前記ロックレバーをアンロック方向に回動させる当たり面と、を備えていること特徴とする画像形成装置。
【請求項２】
前記当り部は、前記転写搬送ユニット及び前記垂直搬送カバーユニットの回動支点よりも装置本体の上方に配置されていることを特徴とする請求項１に記載の画像形成装置。
【請求項３】
前記ロックレバーは、前記垂直搬送カバーユニットを閉成操作したときに前記付勢部材の付勢力に抗してアンロック方向に回動する形状を有することを特徴とする請求項２に記載の画像形成装置。
【発明の詳細な説明】
【技術分野】
【０００１】
本発明は、給紙部から取り出した転写紙を画像形成装置本体の縦方向に搬送する間に画像形成処理を行う形式の画像形成装置に関する。
【背景技術】
【０００２】
従来から、転写紙を給紙部から取り出して画像形成装置本体の縦方向に搬送する間に画像形成処理を行う形式の画像形成装置においては、画像形成装置本体の側面等に開閉可能に設けられたカバー（以下、『垂直搬送カバーユニット』と称する。）を開放してジャム処理を行うものが周知である。
【０００３】
この際、自動両面機能が付いている画像形成装置においては、転写紙の搬送タイミングを整合するレジスト部、転写紙にトナー画像を転写する転写部、転写したトナー画像を定着する定着部、をこの順序で配置した第１搬送路と、両面印字するために転写紙を反転した状態で、定着後の転写紙をレジスト部よりも搬送経路上流側に搬送して第１搬送路に供給する両面機能時にのみ使用する第２搬送路と、が設けられている。
【０００４】
また、レジスト部と転写部とは（定着部を含んでも良い）、転写紙をニップ搬送しつつ各処理を行うために、第１搬送路の転写紙表面（転写面）側を画像形成装置本体に配置すると共に、第１搬送路の転写紙裏面（非転写面）側を転写搬送ユニットの一面（表面）に配置している。同様に、両面印刷時に転写紙をニップ搬送する第２搬送路は、転写搬送ユニットの他面（裏面）と垂直搬送カバーユニットの内面とで構成している。
【０００５】
従って、第１搬送路と第２搬送路とは、各搬送路の途中で転写紙がジャムした場合におけるジャム処理の操作性を向上するために、レジスト部や転写部付近への作業アクセスを容易化する目的で、垂直搬送カバーユニットの開閉操作に連動して転写搬送ユニットも開閉するのが好ましい（例えば、特許文献１参照。）。
【先行技術文献】
【特許文献】
【０００６】
【特許文献１】特開２００５−３３００６７号公報
【発明の概要】
【発明が解決しようとする課題】
【０００７】
しかしながら、上述した画像形成装置にあっては、垂直搬送カバーユニットを開放する場合には垂直搬送カバーユニットと転写搬送ユニットの各ロック解除レバーが連動して開放されることにより固定フック等のロック機構のロック状態が解除される。また、垂直搬送カバーユニットを閉成する場合においても各ロック解除レバーがロック機構をロック状態とするためには、ある程度の勢いを付けて垂直搬送カバーユニットを閉成させないと転写搬送ユニットを含めたロック状態を確保することが困難であるという問題が生じていた。
【０００８】
特に、垂直搬送カバーユニットを緩やかに閉成させた場合には、垂直搬送カバーユニットのロック状態は確保されるものの、転写搬送ユニットのロック状態が不完全なままとなってしまう虞があった。
【０００９】
尚、このような所謂半ロック（半閉まり）状態は、転写搬送ユニットに取り付けられたレジストローラ、搬送ローラ、転写ローラ等のローラを画像形成装置本体側に向けてバネ付勢している場合は、垂直搬送カバーユニットの撓みの発生などにより半閉りが顕著に発生し易く、転写紙搬送の不具合（ジャム発生要件等）となってしまう問題が生じていた。
【００１０】
そこで、本発明は、ジャム処理時の操作性を確保しつつ、転写搬送ユニットの半閉りを抑制し得て、半閉まりによる転写紙搬送の不具合を解消することができる画像形成装置を提供することを目的とする。
【課題を解決するための手段】
【００１１】
上記課題を解決するため、本発明の画像形成装置は、装置本体内に回動可能に配置されて内側で転写部よりも上流側の搬送路の少なくとも一部を構成し且つ外側で両面搬送路の少なくとも一部を構成する転写搬送ユニットと、装置本体の側壁の一部を構成するように装置本体に回動可能に配置されて内側で前記転写搬送ユニットと協働して前記両面搬送路の一部を構成する垂直搬送カバーユニットと、画像形成処理可能状態にあるときに前記装置本体と係合して前記転写搬送ユニットと前記装置本体とが適正位置に配置されるように前記転写搬送ユニットに設けられたロックレバーと、画像形成処理可能状態にあるときに前記装置本体と係合して前記垂直搬送カバーユニットと前記装置本体とが適正位置に配置されるように前記垂直搬送カバーユニットに設けられた操作ロックレバーと、を備え、前記操作ロックレバーを解除操作して前記垂直搬送カバーユニットを回動させて前記両面搬送路を開放すると共に前記垂直カバーユニットの回動操作と連動して前記転写搬送ユニットを回動させて前記搬送路を開放可能とした画像形成装置において、前記垂直搬送カバーユニットと前記ロックレバーとは、前記垂直搬送カバーユニットを閉成操作したときに前記転写搬送ユニットと前記装置本体とがロック状態となるように互いに係合する当り部を備えていること特徴とする。
【００１２】
この際、前記当り部は、前記転写搬送ユニット及び前記垂直搬送カバーユニットの回動支点よりも装置本体の上方に配置されているのが好ましい。
【００１３】
また、前記当り部は、前記垂直搬送カバーユニットを開放操作したときに前記転写搬送ユニットと前記装置本体とがアンロック状態となるように互いに係合するのが好ましい。
【発明の効果】
【００１４】
本発明の画像形成装置は、ジャム処理時の操作性を確保しつつ、転写搬送ユニットの半閉りを抑制し得て、半閉まりによる転写紙搬送の不具合を解消することができる。
【図面の簡単な説明】
【００１５】
【図１】本発明の一実施形態に係る画像形成装置の説明図である。
【図２】本発明の一実施形態の画像形成装置の斜視図である。
【図３】本発明の一実施形態の画像形成装置の要部の断面図である。
【図４】本発明の一実施形態の画像形成装置に搭載される転写搬送ユニットの内面側の斜視図である。
【図５】本発明の一実施形態の画像形成装置に搭載される転写搬送ユニットの外面側の斜視図である。
【図６】本発明の一実施形態の画像形成装置に搭載される垂直搬送カバーユニットの外面側の斜視図である。
【図７】本発明の一実施形態の画像形成装置に搭載される垂直搬送カバーユニットの内面側の斜視図である。
【図８】本発明の一実施形態の画像形成装置の要部の断面図である。
【図９】本発明の一実施形態の画像形成装置のロック解除状態の要部の断面図である。
【図１０】本発明の一実施形態の画像形成装置の閉成時の概念を示す要部の断面図である。
【図１１】本発明の一実施形態の画像形成装置の閉成時の要部の断面図である。
【発明を実施するための形態】
【００１６】
次に、本発明の一実施形態に係る画像形成装置について、図面を参照して説明する。尚、以下に示す実施例は本発明の画像形成装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１７】
図１は本発明の一実施形態に係る画像形成装置の説明図、図２は本発明の一実施形態の画像形成装置の斜視図、図３は本発明の一実施形態の画像形成装置の要部の断面図、図４は本発明の一実施形態の画像形成装置に搭載される転写搬送ユニットの内面側の斜視図、図５は本発明の一実施形態の画像形成装置に搭載される転写搬送ユニットの外面側の斜視図、図６は本発明の一実施形態の画像形成装置に搭載される垂直搬送カバーユニットの外面側の斜視図、図７は本発明の一実施形態の画像形成装置に搭載される垂直搬送カバーユニットの内面側の斜視図、図８は本発明の一実施形態の画像形成装置の要部の断面図、図９は本発明の一実施形態の画像形成装置のロック解除状態の要部の断面図、図１０は本発明の一実施形態の画像形成装置の閉成時の概念を示す要部の断面図、図１１は本発明の一実施形態の画像形成装置の閉成時の要部の断面図である。
【００１８】
（複合機１１の全体構成）
図１において、１１は複写機・プリンタ・ファクシミリ・スキャナーの各機能を具備した画像形成装置としての複合機である。
【００１９】
本発明の一実施形態に係る画像形成装置としての複合機１１は、装置本体１２と、装置本体１２の前面（紙面手前方向）から引き出し可能な給紙カセット１３と、給紙カセット１３に収納した転写紙（図示せず）とは別の転写紙（図示せず）を利用可能とするために装置本体１２の一方の側面に開閉可能に設けられた手差トレイ１４と、複写機・ファクシミリ・スキャナの各種機能として原稿を読み取る際に使用する自動原稿送り装置（ＡＤＦ）１５と、各種機能等の設定・選択操作を行う操作部１６とを備えている。尚、複合機１１の形状や構成・機能等は図示例のものに限定されるものではない。
【００２０】
（装置本体１２の内部構成）
また、装置本体１２の内部には、給紙カセット１３に収納された転写紙を取り出す給紙部１７と、転写紙を装置本体１２に設けられた排紙トレイ１８に向けて搬送する主たる搬送路１９と、搬送路１９の上流側に配置されたレジスト部２０と、レジスト部２０よりも搬送路１９の下流側に配置された画像形成部２１と、画像形成部２１によって転写紙の表面に転写されたトナー像を転写紙の表面に定着させる定着部２２と、搬送路１９の最下流に配置されて画像形成処理済の転写紙を排紙トレイ１８に向けて排出する排出部２３と、を備えている。
【００２１】
さらに、搬送路１９は、複数の経路が分岐・合流されており、本実施の形態では、搬送路１９の最上流寄りで手差トレイ１４から供給された転写紙が合流するトレイ給紙路２４と、定着部２２よりも搬送路１９の下流側に配置された分岐路２５と、両面印刷の場合に分岐路２５に導かれた転写紙を表裏反転させるスイッチバック部２６と、スイッチバック部２６によって表裏反転した転写紙をレジスト部２０よりも上流側の搬送路１９へと戻す両面搬送路２７と、を備えている。
【００２２】
（レジスト部２０の構成）
レジスト部２０は、給紙カセット１３又は手差トレイ１４から取り出された転写紙の搬送方向先端をレジストセンサ（図示せず）で検出することにより、転写紙の先端位置と画像形成部２１を構成する感光体ドラム２８の表面に形成されたトナー像位置とを同期させるもので、本実施の形態においては一対のレジストローラを備えている。
【００２３】
（画像形成部２１の構成）
本実施の形態において、画像形成部２１は、補給用トナー収納容器２９と、現像器ユニット３０と、転写部３１と、を備えている。なお、補給用トナー収納容器２９は、装置本体１２に対して着脱可能（交換可能）とされ、装置本体１２の正面カバー（図示せず）を開放することによって補給用トナー収納容器２９の着脱（交換）を行うことができる。また、現像器ユニット３０は、筺体内部でトナーを循環移動させつつ像担持体としての感光体ドラム２８にトナーを供給する。さらに、現像器ユニット３０の外壁面には、現像器ユニット３０のトナー量を検出するトナーセンサ３２が設けられている。
【００２４】
（転写部３１の構成）
転写部３１は、感光体ドラム（例えば、アモルファスシリコン製）２８の周囲に、感光体ドラム２８の回転方向（図１の反時計回り方向）に沿う画像形成プロセス順に、帯電デバイス３３・露光デバイス３４・現像ローラ３５・転写ローラ３６・クリーニングデバイス３７・除電デバイス３８を備えている。
【００２５】
帯電デバイス３３には、直流電圧（Ｖｄｃ）に交流電圧（Ｖａｃ）を重畳した帯電バイアスが印加される。
【００２６】
露光デバイス３４は、例えば、図示を略するパーソナルコンピュータから送信された印刷データに含まれる画像データを処理して、感光体ドラム２８の表面にレーザ光を照射する。尚、ここでの印刷データには、上述した画像データの他、例えば、画像形成処理部数・拡大／縮小率・画像濃度等の各種設定に関するデータ等が該当する。
【００２７】
現像ローラ３５は、その周面が感光体ドラム２８の周面と対向するように配置されている。従って、現像ローラ３５に搬送されつつあるトナーは、現像ローラ３５を介して感光体ドラム２８の周面に供給され、これによって感光体ドラム２８の周面に静電潜像に応じたトナー像が形成される。
【００２８】
転写ローラ３６には転写電圧が印加され、感光体ドラム２８の表面に形成されたトナー像を、感光体ドラム２８と協働して転写紙をニップ搬送しつつ、その印加電圧によって転写する。
【００２９】
クリーニングデバイス３７は、転写紙へのトナー転写後に感光体ドラム２８の表面に残存した転写残トナーや転写紙粉等を除去する。
【００３０】
除電デバイス３８には、例えば、ＬＥＤ光源等が用いられ、帯電デバイス３３で帯電された感光体ドラム２８を除電する。
【００３１】
（定着部２２の構成）
定着部２２は、画像形成部２１によって転写紙の表面に転写された未定着トナー像を定着させるために、転写紙の表面側、即ち、未定着トナー像側に配置された加熱部材としての加熱ローラ３９（又は加熱ベルト）と、搬送路１９を挟んで加熱ローラ３９と対向する加圧部材としての加圧ローラ４０とを備え、この加圧ローラ４０を加熱ローラ３９に圧接することで転写紙をニップ搬送する。
【００３２】
転写紙の表面に形成された未定着トナー像は、加熱ローラ３９に直接接触することによって溶融し、転写紙の裏面側から加圧ローラ４０で加圧されることによってそのまま転写紙の表面に溶融トナーが定着像として定着される。
【００３３】
尚、加熱ローラ３９の表面には、溶融トナーが付着しないように表面コーティング処理等がなされている。また、加熱ローラ３９の表面に付着してしまった溶融トナー等は図示を略するクリーニングデバイス等によって除去される。
【００３４】
（各搬送路の構成）
搬送路１９は、給紙部１７で取り出した転写紙を、レジスト部２０、感光体ドラム２８と転写ローラ３６、定着部２２、の順でニップ搬送した後、排出部２３から排紙トレイ１８に至る経路を形成している。この際、レジスト部２０を含む搬送路１９の一部は、転写搬送ユニット４１の内側によって構成されている。
【００３５】
トレイ給紙路２４は、手差トレイ１４から取り出した転写紙を、レジスト部２０よりも上流側の給紙路１９に向けて搬送する経路を形成している。
【００３６】
分岐路２５は、搬送路１９の定着部２２よりも下流側に切り替え可能に設けられた切替部材４２を備え、この切替部材４２の経路切り替えにより、スイッチバック部２６に転写紙を搬送する経路を形成している。
【００３７】
スイッチバック部２６は、排出部２３の上方に設けられて正逆回転するスイッチバックローラ対４３を備え、転写紙の一部をニップ搬送しつつスイッチバックした転写紙を両面搬送路２７に向けて搬送する経路を形成している。
【００３８】
両面搬送路２７は、その上流側は装置本体１２と垂直搬送カバーユニット４４との協働によって形成され、その下流側は転写搬送ユニット４１の外側と垂直搬送カバーユニット４４との協働によって形成され、スイッチバック部２６から搬送された転写紙をレジスト部２０の上流側の搬送路１９に向けて搬送する経路を形成している。
【００３９】
（転写搬送ユニット４１の構成）
転写搬送ユニット４１と垂直搬送カバーユニット４４とは、図２及び図３に示すように、装置本体１２に対して下端の支持軸４５（図３参照）を共通の回動支点として回動し、搬送路１９と両面搬送路２７とを開放する。この際、転写搬送ユニット４１の開放角度を垂直搬送カバーユニット４４の開放角度よりも小さくすることにより、各搬送路１９，２７にジャムした転写紙を容易に除去することができる。尚、転写搬送ユニット４１と垂直搬送カバーユニット４４の回動量は、アームやベルト（ストラップ）等によって規制されている。
【００４０】
また、転写搬送ユニット４１は、本実施の形態においては、図４に示すように、その内側（機内側）に、給紙部１７よりも下流側から定着部２２の上流側までの搬送路１９の片面側（機外側）のガイド（板やリブ等）やローラ（レジスト部２０の一方のローラや転写部３１の一方のローラ等）等を備えている。さらに、転写搬送ユニット４１は、本実施の形態においては、図５に示すように、その外側（機外側）に、両面搬送路２７の片面側（機内側）のガイド（板やリブ等）やローラ等を備えている。しかも、転写搬送ユニット４１は、装置本体１２の手前側（正面側）と奥行き側の両側面に装置本体１２に設けられた固定フック４６（図２及び図３参照）と係合する一対のロックレバー４７が設けられている。また、転写搬送ユニット４１は、その下端に支持軸４５に支持される支持部４８が設けられている。
【００４１】
（垂直搬送カバーユニット４４の構成）
装置本体１２の一方の外側壁面の一部を形成する垂直搬送カバーユニット４４は、図６に示すように、その外壁面側下方に形成されて手差トレイ１４を回動可能に支持すると共に常時（非使用時）は手差トレイ１４を収納する凹部４９と、外壁面側上方に回動可能に設けられた開放操作ノブ５０と、を備えている。また、垂直搬送カバーユニット４４は、図７に示すように、その上方寄り左右（装置本体１２の正面側と奥行き側に開放操作ノブ５０の開放操作に連動して回動して装置本体１２に設けられた固定フック５１（図２参照）と係合する一対のカバーロックレバー５２が設けられている。さらに、垂直搬送カバーユニット４４は、その内側（機内側）に、カバーロックレバー５２の回動操作と連動して昇降することによりロックレバー４７と固定フック４６とのロック・アンロック状態とする操作ロックレバー５３を備えている。また、垂直搬送カバーユニット４４は、その内側に、両面搬送路２７の片面側（機外側）のガイド（リブ等）やローラ等と、その下端に、支持軸４５に支持される支持部５４が設けられている。
【００４２】
操作ロックレバー５３は、常時は垂直搬送カバーユニット４４の上方側にバネ付勢されており、このバネ付勢によって開放操作ノブ５０とカバーロックレバー５２とを常時はロック位置としている。
【００４３】
（ロックレバー４７と操作ロックレバー５３の具体的な構成）
ロックレバー４７は、図８に示すように、その中央付近で転写搬送ユニット４１に支持軸４５を介して回動可能に支持されており、装置本体１２の内側に固定フック４６と係合するロック爪５６が設けられている。尚、ロックレバー４７は常時は固定フック４６とロック爪５６とが係合状態にあるようにねじりコイルバネ（図示せず）等によってバネ付勢されている。また、ロックレバー４７には、装置本体の外側に係合溝５７が形成されている。さらに、ロックレバー４７には、係合溝４７の上端開放に対してオーバーハングされた突起状の当り部５８が形成されている。さらに、装置本体１２には、例えば、ロック爪５６の形状等により、転写搬送ユニット４１が開放状態から閉成状態へと移行したときに、ねじりコイルバネの付勢に抗してロックレバー４７がロック位置からアンロック位置へと回動するガイド面（図示せず）が形成されている。この際、ガイド面は直接ロックレバー４７と当接することでロックレバー４７をアンロック方向に回動させても良い。
【００４４】
尚、ロックレバー４７には、転写搬送ユニット４１に形成されてロックレバー４７の回動範囲を規制する円弧状のガイド溝５９と係合するガイド爪（図示せず）が設けられている。また、ロックレバー４７は、転写搬送ユニット４１に設けられた突起６０と当接した際にそのアンロック方向の回動範囲を規定すると共に支持軸４５を回動支点とする転写搬送ユニット４１を開放方向に回動させる。このため、ロックレバー４７と操作ロックレバー５３とには、転写搬送ユニット４１が最大位置にまで開放する間、互いに当接する当り面６１，６２が設けられている。
【００４５】
一方、操作ロックレバー５３には、カバー閉成状態にある常時は係合溝５７と係合する係合爪６３が設けられている。また、この係合爪６３の内側の面は、垂直搬送カバーユニット４４を開放状態から閉成状態としたときに当り部５８と当接する当り部６４が設けられている。
【００４６】
（実施例）
上記の構成において、転写搬送ユニット４１と垂直搬送カバーユニット４４の各回動支点は同一支点である支持軸４５で回動し、この支持軸４５を装置本体１２の下方に配置してユニット上側を開放すると共にその開放角度を異ならせることによりユーザがジャム処理等を行うために搬送路１９及び両面搬送路２７へとアクセスし易く構成されている。
【００４７】
転写搬送ユニット４１が画像形成処理可能な正規の閉成位置にあるときに装置本体１２の固定フック４６とロックレバー４７のロック爪５６とが係合状態となっている。また、垂直搬送カバーユニット４４が画像形成処理可能な正規の閉成位置にあるときに、操作ロックレバー５３がバネ付勢によって垂直搬送カバーユニット４４の上方側に位置されると共に開放操作ノブ５０とカバーロックレバー５２とをロック位置とし、操作ロックレバー５３と固定フック５１とが係合状態となっている。また、同時に、図８に示すように、操作ロックレバー５３の係合爪６３がロックレバー４７の係合溝５７と係合している。
【００４８】
ジャム処理等を行うために、ユーザが開放操作ノブ５０を引き操作（開放側に操作）すると、固定フック５１とカバーロックレバー５２との係合が解除されてアンロックとなり、垂直搬送カバーユニット４４の開放が可能となる。
【００４９】
また、開放操作ノブ５０を開放操作すると、図９に示すように、操作ロックレバー５３がバネ付勢に抗して上方位置（図示一点鎖線）から下方位置へと変位し、ロックレバー４７がバネ付勢に抗して支持軸４５を回動支点として回動し、装置本体１２の固定フック４６とロックレバー４７のロック爪５６との係合が解除されてアンロック状態となる。そして垂直搬送カバーユニット４４を開放させると、ロックレバー４７の当り面６２と操作ロックレバー５３の当り面６１とが当接して（図示二点鎖線）転写搬送ユニット４１が開放される。尚、垂直搬送カバーユニット４４を開放操作したときに、当り部５８，６４を互いに係合させることでロックレバー４７をバネ付勢に抗して回動させても良い。
【００５１】
さらに、所定のジャム処理等が終了してユーザが垂直搬送カバーユニット４４を閉成操作し、所定の閉成位置にまで閉成操作されると、ガイド面（図示せず）のガイド作用によってねじりコイルバネの付勢に抗してロックレバー４７がロック位置からアンロック位置へと回動しているため、図１０に示すように、ロックレバー４７の当り部５８に操作ロックレバー５３の当り部６４が当接（食い込み作用）する。
【００５２】
これにより、図１１に示すように、当り部５８，６４の当接によってロックレバー５３が転写搬送ユニット４１と一緒に装置本体１２の機内側の正規位置へと押し出され、ねじりコイルバネの付勢によってロックレバー４７のロック爪５６と固定フック４６とを確実に係合させてロック状態とすることができる。
【００５３】
このように、転写搬送ユニット４１のロックレバー４７の回転支点よりも上側に突起状の当り部５８を設け、垂直搬送カバーユニット４４の操作ロックレバー５３の下端に設けられた当り部６４を当接させることにより、転写搬送ユニット４１の半開きを抑制することができる。
【００５４】
この際、ロックレバー４７を直接押しだすことにより、当り部５８からロック爪５６までの距離が離れていることに起因する転写搬送ユニット４１及び垂直搬送カバーユニット４４の撓みの影響を極力小さくできるため、半開きをより一層抑制することができる。
【００５５】
また、半開きを防止するため、垂直搬送カバーユニット４４と転写搬送ユニット４１の当り部５８，６４の食い込み量を多く設定してしまうと、垂直搬送カバーユニット４４が閉じた際には転写搬送ユニット４１のロックレバー４７が固定されるようにする場合もあるが、この場合は食い込み量から転写搬送ユニット４１と垂直搬送カバーユニット４４の撓みを差し引いた分、転写搬送ユニット４１の位置がずれていることになり、搬送路１９のガイド位置が定まらず、搬送性能に影響する可能性があるため、食い込み量の設定は垂直カバーユニット４４の大きさ等を考慮して適宜設定するのが望ましい。
【００５６】
尚、上記実施の形態においては、当り部６４を操作ロックレバー５３に設けたものを開示したが、垂直搬送カバーユニット４４に直接設けても良い。
【符号の説明】
【００５７】
１１…複合機（画像形成装置）
１２…装置本体
４１…転写搬送ユニット
４４…垂直搬送カバーユニット
５３…操作ロックレバー
５４…支持部
５６…ロック爪
５７…係合溝
５８…当り部
５９…ガイド溝
６３…係合爪
６４…当り部
【図１】
0005514704.tif 000002
【図２】
0005514704.tif 000003
【図３】
0005514704.tif 000004
【図４】
0005514704.tif 000005
【図５】
0005514704.tif 000006
【図６】
0005514704.tif 000007
【図７】
0005514704.tif 000008
【図８】
0005514704.tif 000009
【図９】
0005514704.tif 000010
【図１０】
0005514704.tif 000011
【図１１】
0005514704.tif 000012